(57)【要約】【課題】従来よりも、低消費電力、機器の容積・質量が小さく、低運用コスト、低価格で設置の容易な遠隔操作によってコンピュータの電源の制御を実現する装置を提供する。【解決手段】本発明では、制御対象コンピュータの電源ＯＮ／ＯＦＦまたはリセットの制御にほとんどの制御対象コンピュータが、ＯＮ／ＯＦＦ端子、リセット端子を備えていることと、それらの端子の開又は閉の際に必要な電力が極めて小さい（一般的に直流３．３Ｖ程度、数十μＡ程度）ことを利用しそれをＴＣＰ／ＩＰ通信によって、遠隔制御可能とすることによって、上記の課題を解決するものである。【選択図】図１
2009267559.tif 000002
【特許請求の範囲】
【請求項１】
遠隔電源制御実現装置と、一つないし複数の制御側コンピュータは直接、または、ＴＣＰ／ＩＰネットワークを通して、通信回線によって接続され、また、遠隔電源制御実現装置と一つないし複数の制御対象コンピュータのＯＮ／ＯＦＦ端子または、リセット端子、またはその両方は、ＯＮ／ＯＦＦ信号線または、リセット信号線によって接続され、任意の制御側コンピュータから遠隔電源制御実現装置へのＴＣＰ／ＩＰ通信による指示により、遠隔電源制御実現装置が指示された制御対象コンピュータの、ＯＮ／ＯＦＦ、または、リセットを実行する、遠隔電源制御実現装置。
【発明の詳細な説明】
【技術分野】
【０００１】
本発明は、遠隔電源制御実現装置に接続された、一つないし複数の制御対象コンピュータの電源を、ＴＣＰ／ＩＰ通信ネットワークを通して一つないし複数の制御側コンピュータからの遠隔制御を実現するための、遠隔電源制御実現装置に関する。
【背景技術】
【０００２】
従来の、制御対象コンピュータの電源をＴＣＰ／ＩＰ通信ネットワークを経由する遠隔制御によりＯＮ／ＯＦＦするような装置には、制御対象コンピュータに供給される、商用電源電力のＯＮ／ＯＦＦによって、図５にみられるように、遠隔による電源の制御を実現していた（例えば、特許文献１参照。）。
【０００３】
また、従来の技術で、制御側コンピュータが、制御対象コンピュータのＬＡＮインターフェイスに対して特殊なデータ（マジックパケット：ｍａｇｉｃ ｐａｃｋｅｔ）を送付しシステムの起動・シャットダウンを行うＷａｋｅＯｎＬＡＮという技術がある。
【０００４】
【特許文献１】特開平１０−１１３１８号公開特許公報
【発明の開示】
【発明が解決しようとする課題】
【０００５】
特許文献１のような、従来の装置では、商用電源のＯＮ／ＯＦＦにより、電源制御を実現していたために、本発明と比較して、大きい電力（ＡＣ１００ボルト、数百ワット程度）のスイッチングが必要となり、機器の発熱による、消費電力の大きさ、運用コストの高さ、の原因になっていた。
【０００６】
また、本発明と比較して、大きい部品（ＡＣソケット、リレー等）が必要となり、機器の容積・質量の大きさ、価格の高さ、の原因となっていた。
【０００７】
ＷａｋｅＯｎＬＡＮという技術は、マザーボード、ＬＡＮインターフェイス、ＯＳ等がその機能に対応していなければならない等の制限があり使用が困難であった。
【０００８】
また、ＷａｋｅＯｎＬＡＮを使用した制御対象コンピュータのマザーボード、ＬＡＮインタフェース、ＯＳ等に障害が発生した場合、シャットダウンが出来ない場合があると言う問題があった。
【０００９】
また、インターネット越しの通信等、ルーターによって隔てられている制御対象コンピュータを制御できない場合があった。これは、ＴＣＰ／ＩＰ通信を使用せずに、特殊なデータの送付という手段を用いているからである。
【００１０】
また、制御対象コンピュータに専用のソフトウェアの導入が必要な場合があり、制御対象コンピュータのシステムに影響を与える可能性があると言う問題があった。
【課題を解決するための手段】
【００１１】
上述した課題を解決するため、本発明では、遠隔電源制御実現装置が電気的方法により制御対象コンピュータのＯＮ／ＯＦＦボタンまたはリセットボタンの操作を再現するという手段によって、制御対象コンピュータの電源の制御を実現している。
【００１２】
図１に本発明の、遠隔電源制御実現装置３の模式図を示す。遠隔電源制御実現装置３は、ＬＡＮインターフェイス部３１、制御コンピュータ部３２、リレー部３３、によって構成されている。
【００１３】
ＬＡＮインターフェイス部３１は、一台ないし複数台の制御側コンピュータを、直接、またはＬＡＮとして、またはインターネットを通して等の、ＴＣＰ／ＩＰ通信可能な、コンピュータネットワークに接続するためのものであり、そのように接続された制御側コンピュータ１と、次に述べる、制御コンピュータ部３２の通信を実現する。
【００１４】
制御コンピュータ部３２では、ＬＡＮインターフェイスを通した、制御側コンピュータ１からの、ＴＣＰ／ＩＰ通信による指示により、次に述べる、リレー部３３へと指示を発する。
【００１５】
リレー部３３は、制御コンピュータ部３２からの指示を受け、指定されたリレー接点の、開または閉を行う。
【００１６】
また、遠隔電源制御実現装置３と、制御対象コンピュータ２は、ＯＮ／ＯＦＦ信号線５と、リセット信号線６によって接続される。これらの信号線は、２本で一組の通常の小電力用の導線である。
【００１７】
制御対象コンピュータとなる、現在までの、大多数のコンピュータは、人間が指で押すことにより、ＯＮ／ＯＦＦまたはリセットできるボタンを備えているのが一般的であり、このボタンは通常の電気スイッチである。
【００１８】
本発明では、遠隔電源制御実現装置内３のリレー部３３のリレー接点を、上記既設スイッチと並列に接続することにより、電源の制御を、現地操作人員のみならず、遠隔的に行うことができる手段を提供するものである。
【発明の効果】
【００１９】
上述したように本発明では、スイッチングに要する電力がごく小さい（一般的に直流３．３Ｖ程度、数十μＡ程度）ため、従来技術よりも小さい部品を使用することが出来る。そのため、機器の容積・質量が小さく、価格を安くすることが出来る。
【００２０】
また、消費電力が小さい事と、ボタンの動作の電気的な再現であるため、スイッチングに必要な時間もごく短い（１秒程度）。そのため、従来技術よりも大幅に消費電力、発熱を小さくすることが可能であり、運用コストの低減等の効果がある。
【００２１】
また、ほとんど全てといっても過言ではない程のコンピュータが、ＯＮ／ＯＦＦボタンを備えており、また、ほとんどのコンピュータがリセットボタンを備えていることから、導入が容易である。
【００２２】
また、制御対象のコンピュータに、特殊なソフトウェアの導入を一切必要とせず、既存のプログラム等に、何ら影響を与えないことから、導入が極めて容易である。
【００２３】
また、通信方式として、ＴＣＰ／ＩＰを採用しているため、制御側コンピュータ１は、直接、またはＬＡＮとして、またはインターネットを通して等、柔軟な接続方式をとることができ、その台数も、任意の台数を設置することができる。
【００２４】
また、制御対象コンピュータのマザーボードに直接、ＯＮ／ＯＦＦ信号またはリセット信号を送信し、電源制御を行う為、ＯＳや、その他ブログラム等のソフトウェアにフリーズ等の問題が発生しても、無関係に電源の制御が可能である。
【発明を実施するための最良の形態】
【００２５】
以下、本発明の実施の形態を図１〜図４に基づいて説明する。
【実施例】
【００２６】
図１は、遠隔電源制御実現装置３の実施の形態および、１台の制御対象コンピュータ１との接続を実施した図である。遠隔電源制御実現装置３について、ＬＡＮインターフェイス部３１は、バスによって、制御コンピュータ部３２と接続されている。制御コンピュータ部３２と、リレー部３３は、バスによって接続されている。
【００２７】
遠隔電源制御実現装置３の、制御コンピュータ部３２の処理フローについて、図１、及び図２に基づいて説明する。
【００２８】
制御コンピュータ部３２は、初期状態では、ログインの待受け状態Ｓ１として、制御側コンピュータ１からのログインを待受ける。
【００２９】
制御側コンピュータ１からのログイン要求があると当該制御側コンピュータ１のユーザーが正当な使用者であるか認証処理Ｓ３を行い、成功すると当該制御側コンピュータ１からの電源制御指示の待受け状態Ｓ５へと移行する。
また、失敗した場合は、接続を受付けずに、ログインの待受け状態Ｓ１に戻る。
【００３０】
電源制御指示の待受け状態Ｓ５において認証された制御側コンピュータ１がリレー３３１を、１秒間閉するという内容の電源制御指示を発行した場合、制御コンピュータ部３２はこれを受理し、リレー部３３に、当該リレー３３１を、閉せよとの指示を発行し、リレー部は当該リレー３３１を閉する。
一秒後、制御コンピュータ部３２は、リレー部に、当該リレー３３１を、開せよとの指示を発行し、リレー部は当該リレー３３１を開する。
【００３１】
上記によって、制御対象コンピュータ２の既設ＯＮ／ＯＦＦボタン２４が現地操作人員に押されたのと同じ状態を作り出し、制御対象コンピュータ２の電源がＯＮであるときはこれをＯＦＦにし、また、電源がＯＦＦであるときはこれをＯＮにするといった、電源の制御を遠隔的に実現するのである。
【００３２】
また、電源制御指示の待受け状態Ｓ５にて制御側コンピュータ１がリレー３３２を１秒間閉するという内容の電源制御指示を発行した場合、上記電源ＯＮ／ＯＦＦの場合と同様ではあるが、制御コンピュータ部３２はこれを受理し、リレー部３３に、当該リレー３３２を、閉せよとの指示を発行し、リレー部３３は当該リレー３３２を閉する。
一秒後、制御コンピュータ部３２は、リレー部に、当該リレー３３２を、開せよとの指示を発行し、リレー部３３は当該リレー３３２を開する。
【００３３】
上記によって、制御対象コンピュータ２の既設リセットボタン２５が現地操作人員に押されたのと同じ状態を作り出し、制御対象コンピュータ２の、リセットを遠隔的に実現するのである。
【００３４】
制御コンピュータ部３２は、リレー部３３への指示Ｓ７を完了すると、再度電源制御指示の待受け状態Ｓ５へと移行し、引き続き、電源制御指示を待受ける。
【００３５】
ログインした制御側コンピュータ１は、任意のタイミングで、接続を終了できる。制御コンピュータ部３２は、これを検出した場合、ログインの待受け状態Ｓ１へと移行する。
【００３６】
遠隔電源制御実現装置３と、制御対象コンピュータ１の接続について、図１に基づいて説明する。
【００３７】
制御対象となる一般的なコンピュータは、ほとんど全ての場合ＯＮ／ＯＦＦボタンを備えており、また、リセットボタンをも備えている機種も多い。
これら、ＯＮ／ＯＦＦボタン、リセットボタンは、通常のスイッチであり、当該コンピュータ内のマザーボード上の、ＯＮ／ＯＦＦ端子と、リセット端子にそれぞれ接続されている。
【００３８】
図１においては、遠隔電源制御実現装置３のリレー３３１の出力側と、制御対象コンピュータ２のＯＮ／ＯＦＦ端子２２が２本１対の導線５により接続されている。
【００３９】
また、同様に、遠隔電源制御実現装置３のリレー３３２の出力側と、制御対象コンピュータ２のリセット端子２３が２本１対の導線６により接続されている。
【００４０】
図１においては、遠隔電源制御実現装置３のリレー３３１の出力側と、制御対象コンピュータ２の既設ＯＮ／ＯＦＦボタン２４が並列に接続されているため、遠隔電源制御実現装置３の導入後も、既設ＯＮ／ＯＦＦボタン２４は従来通り使用可能であり、さらに、本発明による遠隔による電源制御をも可能としている。
【００４１】
また、同様に、遠隔電源制御実現装置３のリレー３３２の出力側と、制御対象コンピュータ２の既設リセットボタン２５が並列に接続されているため、遠隔電源制御実現装置３の導入後も、既設リセットボタン２５は従来通り使用可能であり、さらに、本発明による遠隔による電源制御をも可能としている。
【００４２】
制御側コンピュータ１、制御対象コンピュータ２、遠隔電源制御実現装置３の接続例について、図３〜４に基づいて説明する。
図３は、最小の、遠隔電源制御を実現する構成であり、一台の制御側コンピュータ１、一台の制御対象コンピュータ２および、遠隔電源制御実現装置３から成る。
遠隔電源制御実現装置３と制御側コンピュータ１は、通信回線４によって接続されており、また、遠隔電源制御実現装置３と、制御対象コンピュータは、ＯＮ／ＯＦＦ信号線５および、リセット信号線６で接続されている。
【００４３】
制御側コンピュータ１０１及び１０２は、遠隔電源制御実現装置３とともに、Ａ社構内のＬＡＮ７１上に設置されている。
また、Ａ社構内のＬＡＮ７１はインターネット８に接続されている。
また、出張先等の外部の、制御側コンピュータ１０３は、インターネット８に接続されている。
また、Ａ社支社構内のＬＡＮ７２は、インターネット８に接続されており、また、そのＬＡＮ７２には、制御側コンピュータ１０４と制御側コンピュータ１０５が接続されている。
Ａ社構内の遠隔電源制御実現装置３には、制御対象コンピュータとして、ＷＥＢサーバ２０１、メールサーバ２０２がＯＮ／ＯＦＦ信号線５、及びリセット信号線６によって接続されている。
また、ＷＥＢサーバ２０１、メールサーバ２０２は、さらにＬＡＮ回線で、Ａ社構内のＬＡＮ７１にも接続されている。
【００４４】
例として、ＷＥＢサーバー２０１に何らかのソフトウェア上の障害（フリーズ等）が発生し、外部から、ＷＥＢサイトにアクセス出来ず、ＷＥＢサーバ２０１のリセットが必要である場合、Ａ社構内の制御側コンピュータ１０１、１０２から遠隔電源制御実現装置３を通してリセット操作を行うことができる。
また、インターネット越しの、制御側コンピュータ１０３、１０４、１０５からも、ＷＥＢサーバのリセット操作を行うことが可能である。
【図面の簡単な説明】
【００４５】
【図１】本発明における遠隔電源制御実現装置と、制御側コンピュータ、制御対象コンピュータの接続方式
【図２】本発明における遠隔電源制御実現装置の、制御コンピュータ部の処理フロー図
【図３】本発明における遠隔電源制御実現装置を適用した、最小構成図
【図４】本発明における遠隔電源制御実現装置を適用した、より現実的な構成の一例
【図５】従来技術における、遠隔でのコンピュータの電源の制御を可能とする方法
【符号の説明】
【００４６】
１ 制御側コンピュータ
２ 制御対象コンピュータ
３ 遠隔電源制御実現装置
４ 通信回線
５ ＯＮ／ＯＦＦ信号線
６ リセット信号線
２２ ＯＮ／ＯＦＦ端子
２３ リセット端子
【図１】
2009267559.tif 000003
【図２】
2009267559.tif 000004
【図３】
2009267559.tif 000005
【図４】
2009267559.tif 000006
【図５】
2009267559.tif 000007